(57)【要約】【課題】本発明の目的は、清掃性が良いドアのついた加熱調理器を提供することである。【解決手段】  本体筐体に開閉可能なドアを備え、前記ドアは、ドアベースと、前記ドアベースの少なくとも上部側を覆うドアワクと、前記開口から加熱室を視野とする透明部と、前記ドア枠の上部で略同じ高さで前方向に突出するように前記ドア枠と一体的に形成される突出部を有しており、前記突出部は把持するための開口を有し、前記突出部の下側に前記穴で把持が可能となるように設けられたハンドル部を有する。【選択図】図４
2020134072.tif 000002
【特許請求の範囲】
【請求項１】
本体筐体に開閉可能なドアを備え、前記ドアはドアワクに設けられており、前記ドアワクの上面の高さを維持して延長するように前記ドアが形成されることを特徴とする加熱調理器。
【請求項２】
本体筐体に開閉可能なドアを備え、前記ドアと前記筐体は高さが同じくなるように構成されることを特徴とする加熱調理器。
【請求項３】
本体筐体に開閉可能なドアを備え、前記ドアはドアワクを有し、前記ドアワクは、上部高さを同じくして前方向に突出するように一体的に形成される突出部を有し、前記突出部の下側にハンドル本体部を固定することを特徴とする加熱調理器。
【発明の詳細な説明】
【技術分野】
【０００１】
本発明は、マグネトロンなどで構成される高周波加熱手段を有する電気式オーブンレンジや電子レンジあるいは電気オーブンなどの加熱調理器に関するものである。
【背景技術】
【０００２】
加熱調理器は加熱室に被調理物を載置して加熱調理するものであり、被加熱物を本体に格納するために、本体筐体の前部に、下方の開閉機構部を介して開閉可能に設けたドアを備えている。このドアは、例えば、特開2007-3138号公報に記載されている。すなわち、ドアワクと、ドア開閉のために操作者が把持するためのハンドルとで構成されている。そして、このハンドルは、ドアワクと別体で、しかも、ドアワクの上部と段差をつけて設けている。
【先行技術文献】
【特許文献】
【０００３】
【特許文献１】特開2007-3138号公報
【発明の概要】
【発明が解決しようとする課題】
【０００４】
上記の従来の電子レンジは、ドアワクにハンドルが取りついているが、そこにはドアワクの厚み分の段差があったためにゴミが溜まりやすく、清掃性に課題があった。
【０００５】
そこで、本発明の目的は、清掃性が良いドアのついた加熱調理器を提供することである。
【課題を解決するための手段】
【０００６】
本発明の加熱調理器は、本体筐体に開閉可能なドアを備え、前記ドアはドアワクに設けられており、前記ドアワクの上面の高さを維持して延長するように前記ドアが形成され。
【０００７】
あるいは、本体筐体に開閉可能なドアを備え、前記ドアと前記筐体は高さが同じくなるように構成される。
【０００８】
あるいは、本体筐体に開閉可能なドアを備え、前記ドアはドアワクを有し、前記ドアワクは、上部高さを同じくして前方向に突出するように一体的に形成される突出部を有し、前記突出部の下側にハンドル本体部を固定する。
【発明の効果】
【０００９】
本発明によれば、清掃性が向上する。
【図面の簡単な説明】
【００１０】
【図１】本発明に係るレンジの外観図である。
【図２】ドアを開けたときのレンジの外観図である。
【図３】内部の概略構造を示す断面図である。
【図４】ドアの外観説明図である。
【図５】ドアの組立図である。
【図６】ハンドル本体の外観説明図である。
【図７】ドアワクの外観説明図である。
【図８】ドアワクとドアベースの外観説明図である。
【図９】チョークカバーの外観説明図である。
【図１０】本発明の第２の実施形態に係る電子レンジの外観図である。
【図１１】枠体の外観図である。
【図１２】枠体の外観図である。
【発明を実施するための形態】
【００１１】
以下、図１から図９を参照して、この発明に係る加熱調理器を、マグネトロンなどで構成される高周波加熱手段を有する電気式オーブンレンジを例にとって具体的に説明する。なお、本発明は、電子レンジ、電気オーブンなどの加熱調理器にも適用できる。なお、同一の部位や方向などは同一符号を持って示し、重複した説明を省略する。
【００１２】
先ず、図１を参照して、この実施の形態に係る電気式オーブンレンジ（以下レンジという）の概略構造を説明する。図１は、レンジの外観図であり、ドアを閉めた状態の外観図である。図２がドアを開いた状態の外観図である。
【００１３】
図１において、総括的に示すレンジ４００は、食品を収納したり温めたり焼いたりする加熱室１０を構成する筐体１００と、この筐体１００に開閉機構部３００を介して開閉可能に取付けられるドア１とから構成される。前記筐体１００は、加熱室１０の前面以外の上下面と両側面と背面を覆い、ドア１は、加熱室１０の前面を覆うように構成する。したがって、図１の状態からドア１を開放して図２の状態とすることで、加熱室１０に食品を出し入れすることができる。
【００１４】
筐体１００は、加熱室１０の周囲を構成する本体筐体１０１と、本体筐体１０１の下部に、台部１０２とから構成される。この実施の形態に係るレンジ４００は、加熱調理に水蒸気を使用することが可能であるため、この水蒸気を発生させるために必要な水分を供給する着脱可能な水タンク９０を前記台部１０２の前面側に備えている。
【００１５】
この実施の形態では、ドア１の前面にハンドル４１０（あるいはハンドル部４１０と称する）を備えて、食品を出し入れする図２の状態では、これらハンドル４１０や操作部９が見えなくなって加熱室１０を大きく開放した形態を取り、食品を加熱室１０に収納して調理する図１の状態では、ハンドル４１０や操作部９が前面に露出して調理条件の入力や操作指示を行えるような形態を取るように構成される。後述するように、ハンドル４１０（ハンドル部４１０）は、ドアワク３の上面３ａに形成される突出部３ｂと、ハンドル本体４とからなる。
【００１６】
また、このドア１の中央には大きく形成される透明な窓(板材)７を備えて、調理中の加熱室１０内を覗き見ることができる。
【００１７】
また、このレンジ４００は、下方に配置される開閉機構部３００を介して開閉可能なドア１の下部に台部１０２が配置される。
【００１８】
図３を参照してレンジ４００の内部構造を説明する。図３は内部の概略構造を示す断面図である。
【００１９】
図３において、レンジ４００は、加熱調理する食品等の被調理物１１を収容する加熱室１０、該加熱室１０の底面１２に設けられた被調理物１１を載置する回転しないテーブル１３、加熱室１０に熱風を循環させる熱風ユニット１４、レンジ調理の加熱源であるマグネトロン１５、マイクロ波を導く導波管１６、加熱室１０にマイクロ波を照射する回転アンテナ１７及びアンテナモータ１８等で構成されている。
【００２０】
前記マグネトロン１５、導波管１６、回転アンテナ１７及びアンテナモータ１８等についてはすでに公知であるので、詳細な説明は省略するが、これらの構成部品は図示されているように加熱室１０の下部に形成される機械室に配置されている。
【００２１】
オーブン調理に使われる熱風ユニット１４は、熱風供給手段を構成するもので、ダクト１９と、このダクト１９内のほぼ中央に回転自在に設けられたファン等の送風手段２０、この送風手段２０の外周の上下、すなわち空気流の流出側に設けられたヒータ等の加熱手段２１、ダクト１９に取り付けられたファンモータ２２等で構成され、本体筐体１０１の背面壁に配置されている。
【００２２】
また、加熱室１０の背面壁には、多数のパンチング孔よりなる吸込孔２３、吹出孔２４が設けられており、吸込孔２３は送風手段２０の略中心部に設けられ、吹出孔２４は上下の加熱手段２１に対向した位置に設けられている。
【００２３】
図３の電気式オーブンレンジの筐体１００は、加熱室１０の中央に回転するテーブルがない、いわゆるターンテーブルレス式オーブンレンジと言われるものである。
【００２４】
ここで、２５は蒸気発生手段であり、水が供給される容器（図示せず）と、該容器を加熱するヒータ、サーミスタ等の温度検出器（図示せず）等から構成されており、これらは熱風ユニット１４と本体筐体１０１の背面壁との間に配置されている。蒸気発生手段２５昇温時間を３０秒〜１分程度、もしくはそれ以下での所定温度まで昇温できるように構成されている。水の供給は、台部１０２内に設けられた水タンク９０から水ポンプ２８を介して行われる。
【００２５】
蒸気の吹出口は蒸気発生手段２５に接続されており、その先端は、送風手段２０から流出する空気流に向けて吹き付けるように開口している。
【００２６】
次に、レンジ４００の操作方法を説明する。マイコン(図示せず)が操作部９の操作指示を受けて各種センサ(図示せず)からの情報を参照して総括的な動作制御を行う。
【００２７】
この実施の形態に係る操作部９は、操作部の意匠面６の一方の片側（左側）に配置されるメニュー選択ダイヤル２９０と、表示部２７０の左右に配置される選択キー群２６０などから構成される。
【００２８】
例えば、使用者は、加熱室１０に食品を収めてドア１を閉めた後に、メニュー選択ダイヤル２９０及び選択キー群２６０を操作して、機能モードを選択、温度を設定、加熱時間を設定し、スタートキー操作することで基本的な操作を行うことができる。
【００２９】
また、メニュー選択ダイヤル２９０及び選択キー群２６０を操作して、メニューを選択することで、マイコンが当該メニューに対応した運転条件での運転が可能になる。マイコンの記憶部に各メニューの運転条件を格納している。これら各メニューは、料理の種類や処理などによって複数に分けられて、マイコンは、メニューのＩＤ番号が操作選択されると、当該ＩＤ番号に対応する運転条件を記憶部から呼び出して運転する。
【００３０】
加熱室１０に食品を収めてドア１を閉めた後に、メニュー選択ダイヤル２９０及び選択キー群２６０が操作されると、表示部２７０に表示されているＩＤ番号の運転条件を記憶部から呼び出して、当該運転条件に沿った内容で運転を開始する。
【００３１】
次に、図４から図７を参照してドア１の詳細を説明する。図４はドア１の概略構成図である。図５は、ドア１の組立図である。図６は、ハンドル本体４の外観説明図である図７は、ドアワク３の外観説明図である。
【００３２】
図４及び図５に示すように、ドア１は、ドアベース２と、ドアワク３と、ハンドル本体４と、操作基板(図示しない)を含む操作パネル５と、操作部の意匠面６と、透明な窓(板材)７と、イタオサエ８と、チョークカバー２１４で構成されている。操作パネル５と操作部の意匠面６とで操作部９が構成される。
【００３３】
ハンドル４１０（あるいはハンドル部４１０と称する）は、ハンドル本体４と、ドアワク３の上面３ａに形成される突出部３ｂからなる。
【００３４】
図５において、ドアベース２はドア１の骨格を成すものである。ドアベース２は、加熱室１０を覗くために電波漏れを防ぐパンチング加工を施され、また、ドア１を閉めた時に加熱室１０との間から電波漏れを防ぐためにチョーク構造が施されている。
【００３５】
図８において、２１９はツメで、ドアワク３に数箇所設けられ、チョークカバー２１４の嵌合部２２０の角穴に引っ掛り、ドアワク３にチョークカバー２１４を固定するものである。図９に示すように、嵌合部２２０は、チョークカバー２１４の縁部に設けられた角穴で、ドアワク３にチョークカバー２１４を装着する時、装着方向にツメ２１９の上部が傾斜になっているため、簡単にツメ２１９部をチョークカバー２１４の縁が乗り越えて嵌合部２２０の角穴にツメ２１９が引っ掛りチョークカバー２１４はドアワク３より外れなくなる。
【００３６】
ドア１は、ドアベース２に、ドアワク３、ハンドル本体４、操作パネル５、操作部の意匠面６、透明な窓(板材)７及びイタオサエ８（８−１、８−２）を組み立てたものを嵌めて、チョークカバー２１４と共に形成される。
【００３７】
図７に示すように、ドアワク３は、上面３ａ、サイド部３ｄ、下面３ｃからなっている。また、上面３ａは、サイド部３ｄ、下面３ｃと共に射出成型等で一体成型で形成された樹脂製の突出部３ｂが形成されている。突出部３ｂに、手を掛ける穴（把持開口部）３ｇが形成されている。また突出部３ｂの下面には、ネジ留め用のボス３ｈが設けられている。また、ドアワク３の前面から見て上面３ａ及び突出部３ｂの下方に空間３ｄを設け、そこにネジ留め用の凹部３ｆを設けている。
【００３８】
図６にハンドル本体４の詳細を示す。前側上方から見た図を図６（ａ）として、後側から見た図を図６（ｂ）として示す。
【００３９】
ハンドル本体４は、基部４ａと延長部４ｂで構成される。基部４ａと延長部４ｂは例えば射出成型で樹脂で一体的に形成される。
【００４０】
基部４ａと延長部４ｂの間には手を掛ける穴（把持開口部）４ｇが形成されている。
【００４１】
ハンドル本体４は、延長部４ｂの内側に空間４ｃがあり、その中にはネジ留め用の凸部４ｉと補強のリブが設けられている。
【００４２】
基部４ａの内側に空間４ｄがあり、その中にはネジ留め用のボス４ｈと補強のリブが設けられている。
【００４３】
ハンドル本体４の延長部４ｂとドアワク３の突出部３ｂは互いに重ね合わせて固定される。
【００４４】
また、延長部４ｂの外形は、ドアワク３の突出部３ｂの外形とほぼ同形状であり、重ね合わせた時にぴったりと合わせるようになっている。
【００４５】
ハンドル本体４の手を掛ける穴（把持開口部）４ｇには突起部４ｆが形成され、その突起部４ｆは、ドアワク３の手を掛ける穴（把持開口部）３ｇの内周にびったりと嵌まり込むように形成されている。
【００４６】
ハンドル本体４をドアワク３に組み込むには、ハンドル本体４をドアワク３の上面３ａ及び突出部３ｂの下方にネジで取り付ける。このように、ドアワク３にハンドル本体４をネジで固定して形成する。
【００４７】
ドアワク４の開口部は透明な窓(板材)７がイタオサエ８に挟み込まれて取り付けられる。
【００４８】
ハンドル本体４は、延長部４ｂの内側に空間４ｃがあり、その中にはネジ留め用の凸部４ｉと補強のリブが設けられ、ハンドル本体４は、基部４ａの内側に空間４ｄがあり、その中にはネジ留め用のボス４ｈと補強のリブが設けられており、一方、ドアワク３は上面３ｂにネジ留め用のボス３ｈを設けられ、空間３ｄにネジ留め用の凹部３ｆを設けられており、ハンドル本体４はドアワク３にネジで固定される。
【００４９】
ドアワク３の上面３ａ及び突出部３ｂ（延長部３ｂとも称する）の下方にネジ留め用の凹部３ｆ及びボス３ｈを設け、ハンドル本体の基部４ａ及び延長部４ｂにネジ留め用の凸部４ｈ及びボス４ｉを嵌めて、ドアベース２とネジで固定される。
【００５０】
これにより、ドアワク前面から見て上面３ａ及び３ｂは強度が無いが、ハンドル本体４を組み付けることで支えとなり、強度不足を補うことができる。
【００５１】
ハンドル本体の４ａと延長部４ｂの間には穴４eを設けており、本体からの伝熱を抑制しており、握りやすい。穴４eはドアワクの上面３ａに一部が覆われており、目立ちにくくなり意匠性を維持している。
【００５２】
ドアワクの上面３ａ及び突出部３ｂの間と、ハンドル本体４ａの基部及び延長部４ｂの間には手を掛ける穴（３ｇ、４ｇ）が開いていて取っ手部となる。
【００５３】
操作部９をドアワクの下面３ｃの上方に樹脂の剛性とネジで取り付ける。操作部の意匠面６を操作パネル５の前面に嵌め、張り付ける。
【００５４】
透明な窓(板材)７をハンドル本体４と操作部９の間に嵌め、透明な窓(板材)７の上方はハンドル本体４で保持し、透明な窓(板材)７の下方は操作部９で保持し、透明な窓(板材)７の両端はイタオサエ８でドアワク３に固定する。
【００５５】
このように、ドアワクの上面３ａ及び３ｂは繋がっていて段差がないため、清掃性がよい。ドアワクの上面３ｂは取っ手部の意匠性を持たせることができる。
【００５６】
また、従来の電子レンジに比べて取っ手部の意匠性を維持したまま、部品数が少なくでき、コスト及び組立性がよい。すなわち、外観を美的にすることができる。
【００５７】
上記により、お手入れ性が良い取っ手部を有したドアを持つ加熱調理器が提供できる。また、ドアの下の部分を広くとることができ、設計の自由度が高くなる。
【００５８】
図１０は、図７で示した枠体３をより詳細に表した外観図であり、図１０（ａ）が正面図、図１０（ｂ）が右側面図、図１０（ｃ）左側面図、図１０（ｄ）が平面図、図１０（ｅ）が底面図、図１０（ｆ）が背面図、図１０（ｇ）が斜視図、図１０（ｈ）が中央縦断面図（Ａ−Ａ断面図）である。
【００５９】
図１０において、ドアワク３は、電子レンジで使用される枠体であり、このドアワク３にハンドル本体４や操作部９、透明な窓(板材)７等（図５参照）を取り付けることにより、電子レンジの開閉扉（図４参照）を構成するようになっている。
【００６０】
なお、図１０（ｇ）において、他の図面に表れていない細線１０００ａは、立体表面の形状を特定するためのものである。
【００６１】
図１１及び１２は、本発明の第２の実施形態に係る電子レンジの外観図であり、図１１（ａ）が正面図、図１１（ｂ）が右側面図、図１１（ｃ）が左側面図、図１１（ｄ）が平面図、図１２（ｅ）が底面図、図１２（ｆ）が背面図、図１２（ｇ）が斜視図、図１２（ｈ）が内部機構省略のＡ−Ａ拡大断面図である。
【００６２】
ここで、以下の説明では、上述した実施形態と同様な部分や矢印など、重複した説明は省略する。特に、ドアワク３の上面３ａとハンドル本体４を除いた部分は図１と同様であるため図面を破線で示し、その説明を省略する。即ち、この実施形態における外観図面は、特徴的な部分（部分意匠）を実線で示し、上述した実施形態と同様な部分については破線で示す。
【００６３】
図１１及び１２において、この実施形態では、ドアワク３の上面３ａの突出部３ｂを前方に折り曲げ、ハンドル本体４の前面を覆うようにすることで、Ｌ字型のハンドル部１１００ａとした形態に特徴を備えている。
【００６４】
そして、この特徴的な形態を備えることにより、上述した実施形態と同様な作用効果を得ることができる。
【００６５】
なお、図１１及び１２において、他の図面に表れていない細線１１００ｂは、立体表面の形状を特定するためのものである。
【００６６】
また、一点鎖線１１００ｃは、実線部分（部分意匠として意匠登録を受けようとする部分）と破線部分（その他の部分）との境界のみを示す線である。
【符号の説明】
【００６７】
１…ドア
２…ドアベース
３…ドアワク
４…ハンドル本体
５…操作パネル
６…操作部の意匠面
７…透明な窓(板材)
８…イタオサエ
９…操作部
１０…加熱室
１１…被調理物
１２…底面
１３…テーブル
１４…熱風ユニット
１５…マグネトロン
１６…導波管
１７…回転アンテナ
１８…アンテナモータ
１９…ダクト
２０…送風手段
２１…加熱手段
２２…ファンモータ
２３…吸込孔
２４…吹出孔
２５…蒸気発生手段
２６…容器
２７…ヒータ
２８…水ポンプ
９０…水タンク
１００…筐体
１０１…本体筐体
１０２…台部
２１４…チョークカバー
２１９…ツメ
２２０…嵌合部
２６０…選択キー群
２７０…表示部
２９０…メニュー選択ダイヤル
３００…開閉機構部
４００…レンジ
４１０…ハンドル
【図１】
2020134072.tif 000003
【図２】
2020134072.tif 000004
【図３】
2020134072.tif 000005
【図４】
2020134072.tif 000006
【図５】
2020134072.tif 000007
【図６】
2020134072.tif 000008
【図７】
2020134072.tif 000009
【図８】
2020134072.tif 000010
【図９】
2020134072.tif 000011
【図１０】
2020134072.tif 000012
【図１１】
2020134072.tif 000013
【図１２】
2020134072.tif 000014